(57)【要約】【課題】ベースとケースとを組み立てる際に損壊することを防ぐ気圧計を提供する。【解決手段】気圧計１０は、ベース１及びケース２を備える。ベース１の上端には、目盛板１２が配設される。ケース２は、透明状のハット型筐体であり、一端が閉鎖端２１に成形され、他端が開口端２２に成形される。ケース２の内環面上には、押圧面が設けられる。ケース２の周壁２５上には、開口端２２に隣接する箇所に複数のフック２７１，２７２が間隔をおいて設けられる。ケース２の周壁２５上に間隔をおいて設けられた２個以上のフック２７１，２７２によりフック群２７が構成される。フック２７１，２７２間には第１のスリット２７３が設けられ、上述した構造組み合わせにより、ケース２がベース１に結合可能である。【選択図】図２
2020106529.tif 000002
【特許請求の範囲】
【請求項１】
ベース及びケースを備えた気圧計であって、
前記ベースの上端には目盛板が配設され、
前記ケースは透明状のハット型筐体であり、一端が閉鎖端に成形され、他端が開口端に成形され、
前記ケースの内環面上には押圧面が設けられ、
前記ケースの周壁上には、前記開口端に隣接する箇所に複数のフックが間隔をおいて設けられ、
前記ケースの周壁上に間隔をおいて設けられた２個以上の前記フックによりフック群が構成され、前記フック間には第１のスリットが設けられ、上述した構造組み合わせにより、前記ケースが前記ベースに結合可能であることを特徴とする、気圧計。
【請求項２】
前記ベースの側辺には、気圧コネクタを有する吸気管が取り付けられ、
前記吸気管は、加圧空気を受け取り、
前記ケースの周壁上には、前記開口端に隣接する箇所に凹口が設けられることを特徴とする、請求項１に記載の気圧計。
【請求項３】
前記ケースの周壁上には、間隔をおいて設けられた２組のフック群が形成され、前記２組のフック群間の周壁上には、複数の第２のスリットが分散して設けられることを特徴とする、請求項１に記載の気圧計。
【請求項４】
互いに結合された前記ベース及び前記ケースの前記第１のスリットの底縁の高さはＨであり、
高さＨは、０より大きいことを特徴とする、請求項１に記載の気圧計。
【請求項５】
前記ベースの底辺には、気圧コネクタを有する吸気管が取り付けられることを特徴とする、請求項１に記載の気圧計。
【発明の詳細な説明】
【技術分野】
【０００１】
本発明は、気圧計に関し、特に、ベースとケースとを組み立てる際に損壊することを防ぐ気圧計に関する。
【背景技術】
【０００２】
図８〜図１０を参照する。図８〜図１０に示すように、従来の気圧計３は、上蓋４、筐体５及びベース６から構成されてなる。一般に、上蓋４及び筐体５は、アクリル、ＡＳなど割れ易い材料からなるものが大部分であった。上蓋４、筐体５及びベース６は、強く密着させて結合させるため、組み立てるときに上蓋４又は筐体５が損壊してしまうことがあった。そのため、本発明者は、従来の気圧計３を組み立てる際の欠点に鑑み、鋭意研究を重ねて本発明を完成したものである。
【発明の概要】
【発明が解決しようとする課題】
【０００３】
本発明の課題は、ベースと、ベース上を覆うケースと、を有し、ケースは、開口端を介してベース上を覆い、ベースは、ケースの内環面の押圧面に当接され、ケースに設けられたフックは、ベースの外縁に係止され、ケースの周壁上の第２のスリットは、ケース内にベースが係入される際に加えられる外力を分散させ、ケースの周壁が損壊することを防ぐことができる気圧計を提供することにある。
【図面の簡単な説明】
【０００４】
【図１】図１は、本発明の一実施形態に係る気圧計を示す斜視図である。
【図２】図２は、本発明の一実施形態に係る気圧計を示す分解斜視図である。
【図３】図３は、本発明の一実施形態に係る気圧計を示す断面図である。
【図４】図４は、本発明の一実施形態に係る気圧計を示す断面図である。
【図５】図５は、本発明の一実施形態に係る気圧計のケースを示す斜視図である。
【図６】図６は、本発明の一実施形態に係る気圧計のケースを示す断面図である。
【図７】図７は、本発明の他の実施形態に係る気圧計を示す分解斜視図である。
【図８】図８は、従来の気圧計を示す斜視図である。
【図９】図９は、従来の気圧計を示す分解斜視図である。
【図１０】図１０は、従来の気圧計を示す断面図である。
【発明を実施するための形態】
【０００５】
図１及び図２を参照する。図１及び図２に示すように、本発明の一実施形態に係る気圧計１０は、少なくともベース１と、ベース１上を覆うケース２と、から構成されてなる。
【０００６】
ベース１の側辺には、気圧コネクタ１１を有する吸気管１１０が取り付けられる。吸気管１１０は加圧空気を受け取る。ベース１の上端には、目盛板１２が設けられる。ベース１の側辺の気圧コネクタ１１が加圧空気を受け取ると、目盛板１２により圧力値を知ることができる。
【０００７】
図５及び図６を参照する。図５及び図６に示すように、ケース２は、透明状のハット型筐体であり、一端が閉鎖端２１に成形され、他端が開口端２２に成形される。ケース２の内環面２３上には押圧面２４が設けられる。ケース２の周壁２５上には、開口端２２に隣接する箇所に形成された凹口２６と、間隔をおいて設けられた複数のフック２７１、２７２と、第１のスリット２７３及び間隔をおいて設けられた複数の第２のスリット２８と、が設けられる。
【０００８】
図５を参照する。図５に示すように、本発明の一実施形態に係る気圧計は、ケース２の周壁２５上には、複数のフック２７１、２７２が間隔をおいて設けられ、２個以上のフック２７１、２７２を組み合わしてフック群２７が構成される。フック２７１、２７２間には第１のスリット２７３が設けられ、本実施形態に示すように、ケース２の周壁２５上には、間隔をおいて設けられた２組のフック群２７が形成され、２組のフック群２７間の周壁２５上には、複数の第２のスリット２８が分散して設けられる。
【０００９】
図１〜図４を参照する。図１〜図４に示すように、ケース２は、開口端２２を介してベース１上を覆う。ケース２に設けた凹口２６は、ベース１の側辺に設けた気圧コネクタ１１の背面１１１端に噛合する。ベース１は、ケース２の内環面２３の押圧面２４上に当接される。ケース２に設けたフック２７１、２７２は、ベース１の外縁１３に係止される。ケース２の周壁２５上の第２のスリット２８は、ケース２内にベース１を係入する際に加えられる外力を分散させ、ケース２の周壁２５が損壊することを防ぐことができる。互いに結合したベース１とケース２との第１のスリット２７３の底縁の高さはＨである。高さＨは、０より大きく、フック群２７中の何れか１つのフック２７１、２７２が損壊しても、依然としてフック群２７の少なくとも１つのフック２７１、２７２をベース１の外縁１３に係合させることができるため、ケース２がベース１と全く結合しなくなることを防ぐことができる。互いに結合されたベース１とケース２とを分離させるときは、互いに結合したベース１及びケース２の第１のスリット２７３の底縁には高さＨがあり、着脱部材７を第１のスリット２７３に挿入し、上方に力量Ｆを加え、ベース１と結合したケース２に挿入する（図４参照する）。また、図７に示すように、他の実施形態では、ベース１の底辺に気圧コネクタ１４を有する吸気管１４０が取り付けられ、吸気管１４０により加圧空気を受け取ってもよい。
【００１０】
上述したことから分かるように、本発明の気圧計１０は、ベース１と、ベース１上を覆うケース２と、を有する。ケース２は、開口端２２を介してベース１上を覆う。ベース１は、ケース２の内環面２３の押圧面２４上に当接される。ケース２に設けたフック２７１、２７２は、ベース１の外縁１３に係止される。ケース２の周壁２５上の第２のスリット２８は、ベース１がケース２内に係入される際に受け取る外力を分散させ、ケース２の周壁２５が損壊することを防ぐ。
【符号の説明】
【００１１】
１：ベース
２：ケース
３：気圧計
４：上蓋
５：筐体
６：ベース
７：着脱部材
１０：気圧計
１１：気圧コネクタ
１２：目盛板
１３：外縁
１４：気圧コネクタ
２１：閉鎖端
２２：開口端
２３：内環面
２４：押圧面
２５：周壁
２６：凹口
２７：フック群
２８：第２のスリット
１１０：吸気管
１１１：背面
１４０：吸気管
２７１：フック
２７２：フック
２７３：第１のスリット
Ｆ：力量
Ｈ：高さ
【図１】
2020106529.tif 000003
【図２】
2020106529.tif 000004
【図３】
2020106529.tif 000005
【図４】
2020106529.tif 000006
【図５】
2020106529.tif 000007
【図６】
2020106529.tif 000008
【図７】
2020106529.tif 000009
【図８】
2020106529.tif 000010
【図９】
2020106529.tif 000011
【図１０】
2020106529.tif 000012